(57)【要約】  【課題】  患者にとって必要なエネルギー量を確実に確保することができる投与薬剤の組み合わせ及び量を、患者にとって適した組み合わせから順次選択することができる投与薬剤特定装置、投与薬剤特定方法及びコンピュータプログラムを提供する。  【解決手段】  算出した成分ごとの必要成分量に基づいて、投与により供給可能な成分量の範囲を算出し、経腸により供給可能な成分量の範囲を算出し、経腸により供給可能な成分量の範囲が、投与により供給可能な成分量の範囲を超える成分がない場合、経腸により供給可能な成分ごとの成分量に基づいて、経腸により供給可能な薬剤組み合わせ情報を複数算出し、算出した複数の薬剤組み合わせ情報の選択を受け付け、選択された薬剤組み合わせ情報に基づいて、投与すべき薬剤の薬剤組み合わせ情報を複数算出し、算出した投与すべき複数の薬剤組み合わせ情報の選択を受け付ける。【選択図】      図３
2006280621.tif 000002
【特許請求の範囲】
【請求項１】
患者に関する情報を受け付け、
受け付けた患者に関する情報に基づいて、投与又は経腸により患者に供給すべきエネルギー量を算出し、
算出したエネルギー量から投与又は経腸により患者に与える必要成分量を成分ごとに算出し、
算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定する投与薬剤特定装置において、
算出した成分ごとの必要成分量に基づいて、投与により供給可能な成分量の上限値及び下限値を成分ごとに算出する手段と、
経腸により供給可能な成分ごとの成分量を受け付ける手段と、
受け付けた成分量に基づいて、経腸により供給可能な成分量の上限値及び下限値を成分ごとに算出する手段と、
算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段と、
該手段で、存在しないと判断した場合、経腸により供給可能な成分ごとの成分量に基づいて、経腸により供給可能な薬剤組み合わせ情報を複数算出する手段と、
算出した複数の薬剤組み合わせ情報について、所定の条件に基づいて優先順位を算出し、優先順位の高い順に表示する手段と、
表示された複数の薬剤組み合わせ情報の選択を受け付ける手段と、
選択された薬剤組み合わせ情報に基づいて、投与すべき薬剤の薬剤組み合わせ情報を複数算出する手段と、
算出した投与すべき複数の薬剤組み合わせ情報について、所定の条件に基づいて優先順位を算出し、優先順位の高い順に表示する手段と、
表示された投与すべき複数の薬剤組み合わせ情報の選択を受け付ける手段と
を備えることを特徴とする投与薬剤特定装置。
【請求項２】
前記患者に関する情報は、薬剤の投与を受けるまでの時間を含み、
薬剤の組み合わせ、該組み合わせに含まれる薬剤に係る薬剤アンプルの種類及び個数を算出する場合、複数の薬剤の配合後の経過時間により特性に変化が生じる薬剤であって、前記経過時間が薬剤の投与を受けるまでの時間より長い薬剤を組み合わせの対象から除外するようにしてあることを特徴とする請求項１記載の投与薬剤特定装置。
【請求項３】
前記条件は、薬剤アンプルの総数が少ない組み合わせを優先するものであることを特徴とする請求項１又は２記載の投与薬剤特定装置。
【請求項４】
前記条件は、薬剤アンプルの種類が少ない組み合わせを優先するものであることを特徴とする請求項１又は２記載の投与薬剤特定装置。
【請求項５】
患者に関する情報を受け付け、
受け付けた患者に関する情報に基づいて、投与又は経腸により患者に供給すべきエネルギー量を算出し、
算出したエネルギー量から投与又は経腸により患者に与える必要成分量を成分ごとに算出し、
算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定するコンピュータで実行することが可能なコンピュータプログラムにおいて、
前記コンピュータを、
算出した成分ごとの必要成分量に基づいて、投与により供給可能な成分量の上限値及び下限値を成分ごとに算出する手段、
経腸により供給可能な成分ごとの成分量を受け付ける手段、
受け付けた成分量に基づいて、経腸により供給可能な成分量の上限値及び下限値を成分ごとに算出する手段、
算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段、
該手段で、存在しないと判断した場合、経腸により供給可能な成分ごとの成分量に基づいて、経腸により供給可能な薬剤組み合わせ情報を複数算出する手段、
算出した複数の薬剤組み合わせ情報について、所定の条件に基づいて優先順位を算出し、優先順位の高い順に表示する手段、
表示された複数の薬剤組み合わせ情報の選択を受け付ける手段、
選択された薬剤組み合わせ情報に基づいて、投与すべき薬剤の薬剤組み合わせ情報を複数算出する手段、
算出した投与すべき複数の薬剤組み合わせ情報について、所定の条件に基づいて優先順位を算出し、優先順位の高い順に表示する手段、
表示された投与すべき複数の薬剤組み合わせ情報の選択を受け付ける手段
として機能させることを特徴とするコンピュータプログラム。
【発明の詳細な説明】
【技術分野】
【０００１】
本発明は、患者の体調、病状等に関する情報に基づいて、投与すべき薬剤のすべての組み合わせ及び該組み合わせに含まれる薬剤に係る薬剤アンプルの種類及び個数を算出し、優先順位を付して表示することができる投与薬剤特定装置及びコンピュータプログラムに関する。
【背景技術】
【０００２】
従来、患者の状態に応じて病状を回復するために必要なエネルギー量、アミノ酸量等の栄養量を確保すべく、薬剤を投与している。しかし、患者の体格の相違、性別の相違、年齢の相違等によっても必要とされるエネルギーの総量は変化し、病状の相違、例えば患者が寝たきりであるか否か、意識の有無、安静の必要の有無等の相違、及び手術の程度、外傷の程度等に応じて、適切なエネルギー量を患者に投与する必要がある。
【０００３】
医療の現場においては、輸液により薬剤を投与する、及び経腸剤を提供することにより、患者ごとに必要とされる水分、カロリー、アミノ酸、脂肪、ナトリウム、カリウム等の栄養素を患者に摂取させることにより、必要なエネルギー量を確保している。患者に摂取させる栄養素の成分ごとの必要量は、患者の身長、体重、年齢、性別等の基本情報、摂取する食事量、病態、尿量等に基づいて、不足している栄養素の量を算出し、不足している栄養素の量に基づいて適した薬剤の組み合わせ及び該組み合わせに含まれる薬剤に係る薬剤アンプルの種類及び個数を特定していた。
【０００４】
例えば、非特許文献１及び２では、水分、カロリー、アミノ酸、脂肪、ナトリウム、カリウム等の量を入力することにより、その量を充足する輸液薬剤の組み合わせパターンを抽出することができるに止まっている。
【非特許文献１】輸液情報システム研究会編、「これからの輸液療法の指針と考え方  ＡＤＭＩＣＳ」、大塚製薬株式会社、１９８８年１２月１日
【非特許文献２】大塚製薬株式会社編、「輸液情報コンサルテーションシステム  ＡＤＭＩＣＳ  ｆｏｒ  Ｗｉｎｄｏｗｓ（登録商標）  ９５」、株式会社協和企画、１９９８年３月３１日
【発明の開示】
【発明が解決しようとする課題】
【０００５】
しかし、非特許文献１及び２に開示してある方法では、必要な栄養素の量までは特定することができず、経験則に基づいてエネルギー量、水分量、カロリー量、アミノ酸量、脂肪量、ナトリウム量、カリウム量等を受付ける必要があった。また、薬剤の組み合わせ及び該組み合わせに含まれる薬剤に係る薬剤アンプルの種類及び個数が、同一条件下で選択される組み合わせ候補の中で最適である保証はなく、すべての組み合わせについて選択する可能性を検証することが困難であるという問題点があった。
【０００６】
また、経験則に基づく薬剤の組み合わせ及び該組み合わせに含まれる薬剤に係る薬剤アンプルの種類及び個数の特定方法は逐次的処理となることから、所定の条件下で特定される薬剤組み合わせ候補の１つにすぎず、すべての組み合わせの中でどの程度優れた組み合わせであるのか評価する指標が存在しない。したがって、複数の薬剤の組み合わせ及び該組み合わせに含まれる薬剤に係る薬剤アンプルの種類及び個数が候補として検討される場合、どの薬剤の組み合わせ及び該組み合わせに含まれる薬剤に係る薬剤アンプルの種類及び個数を選択するのがより患者にとって好ましいのか判断すること自体が困難であるという問題点もあった。
【０００７】
さらに、薬剤によっては、配合してから時間が経過することにより成分が変化する薬剤も存在しており、このような性質を有する薬剤を選択する場合、投与するまでの時間を考慮する必要がある。しかし、従来の薬剤特定方法は、投与するまでの時間に関する情報を考慮していないことから、医療従事者の知識、経験等に依存しており、投与する薬剤の効果、安全性等を確実に担保することが困難であるという問題点もあった。
【０００８】
本発明は斯かる事情に鑑みてなされたものであり、患者にとって必要なエネルギー量、アミノ酸量等の栄養量を確実に確保することができる投与薬剤の組み合わせ及び量を、患者にとって適した組み合わせから順次選択することができる投与薬剤特定装置及びコンピュータプログラムを提供することを目的とする。
【０００９】
また本発明は、薬剤を投与するまでの時間を考慮することにより、配合変化が生じるおそれのある薬剤を、投与薬剤から排除して組み合わせ候補を特定することができる投与薬剤特定装置及びコンピュータプログラムを提供することを目的とする。
【課題を解決するための手段】
【００１０】
上記目的を達成するために第１発明に係る投与薬剤特定装置は、患者に関する情報を受け付け、受け付けた患者に関する情報に基づいて、投与又は経腸により患者に供給すべきエネルギー量を算出し、算出したエネルギー量から投与又は経腸により患者に与える必要成分量を成分ごとに算出し、算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定する投与薬剤特定装置において、算出した成分ごとの必要成分量に基づいて、投与により供給可能な成分量の上限値及び下限値を成分ごとに算出する手段と、経腸により供給可能な成分ごとの成分量を受け付ける手段と、受け付けた成分量に基づいて、経腸により供給可能な成分量の上限値及び下限値を成分ごとに算出する手段と、算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段と、該手段で、存在しないと判断した場合、経腸により供給可能な成分ごとの成分量に基づいて、経腸により供給可能な薬剤組み合わせ情報を複数算出する手段と、算出した複数の薬剤組み合わせ情報について、所定の条件に基づいて優先順位を算出し、優先順位の高い順に表示する手段と、表示された複数の薬剤組み合わせ情報の選択を受け付ける手段と、選択された薬剤組み合わせ情報に基づいて、投与すべき薬剤の薬剤組み合わせ情報を複数算出する手段と、算出した投与すべき複数の薬剤組み合わせ情報について、所定の条件に基づいて優先順位を算出し、優先順位の高い順に表示する手段と、表示された投与すべき複数の薬剤組み合わせ情報の選択を受け付ける手段とを備えることを特徴とする。
【００１１】
また、第２発明に係る投与薬剤特定装置は、第１発明において、前記患者に関する情報は、薬剤の投与を受けるまでの時間を含み、薬剤の組み合わせ、該組み合わせに含まれる薬剤に係る薬剤アンプルの種類及び個数を算出する場合、複数の薬剤の配合後の経過時間により特性に変化が生じる薬剤であって、前記経過時間が薬剤の投与を受けるまでの時間より長い薬剤を組み合わせの対象から除外するようにしてあることを特徴とする。
【００１２】
また、第３発明に係る投与薬剤特定装置は、第１又は第２発明において、前記条件は、薬剤アンプルの総数が少ない組み合わせを優先するものであることを特徴とする。
【００１３】
また、第４発明に係る投与薬剤特定装置は、第１又は第２発明において、前記条件は、薬剤アンプルの種類が少ない組み合わせを優先するものであることを特徴とする。
【００１４】
また、第５発明に係るコンピュータプログラムは、患者に関する情報を受け付け、受け付けた患者に関する情報に基づいて、投与又は経腸により患者に供給すべきエネルギー量を算出し、算出したエネルギー量から投与又は経腸により患者に与える必要成分量を成分ごとに算出し、算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定するコンピュータで実行することが可能なコンピュータプログラムにおいて、前記コンピュータを、算出した成分ごとの必要成分量に基づいて、投与により供給可能な成分量の上限値及び下限値を成分ごとに算出する手段、経腸により供給可能な成分ごとの成分量を受け付ける手段、受け付けた成分量に基づいて、経腸により供給可能な成分量の上限値及び下限値を成分ごとに算出する手段、算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段、該手段で、存在しないと判断した場合、経腸により供給可能な成分ごとの成分量に基づいて、経腸により供給可能な薬剤組み合わせ情報を複数算出する手段、算出した複数の薬剤組み合わせ情報について、所定の条件に基づいて優先順位を算出し、優先順位の高い順に表示する手段、表示された複数の薬剤組み合わせ情報の選択を受け付ける手段、選択された薬剤組み合わせ情報に基づいて、投与すべき薬剤の薬剤組み合わせ情報を複数算出する手段、算出した投与すべき複数の薬剤組み合わせ情報について、所定の条件に基づいて優先順位を算出し、優先順位の高い順に表示する手段、表示された投与すべき複数の薬剤組み合わせ情報の選択を受け付ける手段として機能させることを特徴とする。
【００１５】
第１発明及び第５発明では、受け付けた患者に関する情報に基づいて、投与又は経腸により患者に供給すべきエネルギー量を算出し、算出したエネルギー量から成分ごとの成分量を算出する。算出した成分ごとの成分量に基づいて、投与により供給可能な成分量の範囲（上限値及び下限値）を成分ごとに算出しておく。次に、経腸により供給可能な成分ごとの成分量に基づいて、経腸により供給可能な成分量の範囲（上限値及び下限値）を成分ごとに算出する。そして、投与により供給可能な成分量の範囲を、経腸により供給可能な成分量の範囲を超えている成分が存在しない場合、経腸により供給可能な複数の薬剤の組み合わせ、並びに該組み合わせに含まれる薬剤に係る薬剤アンプルの種類及び個数（薬剤組み合わせ情報）を算出し、所定の条件に基づいた優先順位を付して表示する。
【００１６】
表示に係る複数の薬剤組み合わせ情報の中から、作業者により選択された薬剤組み合わせ情報に基づいて、複数の投与すべき薬剤の薬剤組み合わせ情報を算出し、所定の条件に基づいて優先順位を付して表示し、作業者による選択を受付ける。
【００１７】
これにより、まず経腸剤による栄養素の供給予定を確定した上で、投与すべき薬剤の薬剤組み合わせ情報を特定することができ、必要な栄養素を充足するために最小限必要な投与する薬剤の薬剤組み合わせ情報を特定することができる。したがって、医療従事者の経験則に依らずに最適な薬剤の組み合わせ並びに該組み合わせに含まれる薬剤に係る薬剤アンプルの種類及び個数を、所定の条件に基づいて選択することができ、薬剤投与過剰、又は必要な成分の不足を未然に防止することが可能となる。
【００１８】
第２発明では、患者に関する情報は、薬剤の投与を受けるまでの時間を含んでおり、薬剤の組み合わせ、並びに該組み合わせに含まれる薬剤に係る薬剤アンプルの種類及び個数を算出する場合、複数の薬剤の配合後の経過時間により特性に変化が生じる薬剤であって、経過時間が薬剤の投与を受けるまでの時間より長い薬剤を組み合わせの対象から除外している。これにより、薬剤の投与時に沈殿、混濁等の特性変化が生じているおそれのある薬剤を、組み合わせに係る薬剤から確実に排除することができ、特性の変化により生じるおそれのある有害事象を未然に防止し、薬剤投与により期待される病状回復効果を確実に奏することが可能となる。
【００１９】
第３発明では、複数の薬剤の組み合わせ、該組み合わせに含まれる薬剤に係る薬剤アンプルの種類及び個数を表示する順序を定める優先順位を定める条件として、薬剤アンプルの総数が少ない組み合わせを優先するようにしてある。これにより、薬剤アンプルの総数が少ない組み合わせを優先的に表示することから、投与時の取り扱いミス等の医療ミスの発生を未然に防止することができ、より安全度の高い薬剤の組み合わせ、並びに該組み合わせに含まれる薬剤に係る薬剤アンプルの種類及び個数を選択することが可能となる。
【００２０】
第４発明では、複数の薬剤の組み合わせ、該組み合わせに含まれる薬剤に係る薬剤アンプルの種類及び個数を表示する順序を定める優先順位を定める条件として、薬剤アンプルの種類が少ない組み合わせを優先するようにしてある。これにより、薬剤アンプルの種類が少ない組み合わせを優先的に表示することから、投与時の取り扱いミス等の医療ミスの発生を未然に防止することができ、より安全度の高い薬剤の組み合わせ、並びに該組み合わせに含まれる薬剤に係る薬剤アンプルの種類及び個数を選択することが可能となる。
【発明の効果】
【００２１】
第１発明及び第５発明によれば、まず経腸剤による栄養素の供給予定を確定した上で、投与すべき薬剤の薬剤組み合わせ情報を特定することができ、必要な栄養素を充足するために最小限必要な投与する薬剤の薬剤組み合わせ情報を特定することができる。したがって、医療従事者の経験則に依らずに最適な薬剤の組み合わせ並びに該組み合わせに含まれる薬剤に係る薬剤アンプルの種類及び個数を、所定の条件に基づいて選択することができ、薬剤投与過剰、又は必要な成分の不足を未然に防止することが可能となる。
【００２２】
第２発明では、薬剤の投与時に沈殿、混濁等の特性変化が生じているおそれのある薬剤を、組み合わせに係る薬剤から確実に排除することができ、特性の変化により生じるおそれのある有害事象を未然に防止し、薬剤投与により期待される病状回復効果を確実に奏することが可能となる。
【００２３】
第３発明又は第４発明では、薬剤アンプルの総数が少ない組み合わせ又は薬剤アンプルの種類が少ない組み合わせを優先的に表示することから、投与時の取り扱いミス等の医療ミスの発生を未然に防止することができ、より安全度の高い薬剤の組み合わせ、並びに該組み合わせに含まれる薬剤に係る薬剤アンプルの種類及び個数を選択することが可能となる。
【発明を実施するための最良の形態】
【００２４】
以下、本発明をその実施の形態を示す図面に基づいて具体的に説明する。図１は、本発明の実施の形態に係る投与薬剤特定装置１０の構成を示すブロック図である。図１に示すように、本実施の形態に係る投与薬剤特定装置１０は、少なくとも、ＣＰＵ（中央演算装置）１１、記憶手段１２、ＲＡＭ１３、外部の通信手段と接続する通信インタフェース１４、入力装置１５、表示装置１６及びＤＶＤ、ＣＤ等の可搬型記憶媒体１８を用いる補助記憶手段１７で構成されている。
【００２５】
ＣＰＵ１１は、内部バス１９を介して投与薬剤特定装置１０の上述したようなハードウェア各部と接続されており、上述したハードウェア各部を制御するとともに、記憶手段１２に記憶されている処理プログラム、例えば患者の基本情報、食事摂取量、病態等を受付けて記憶する患者情報取得プログラム、必要な栄養素の総量を栄養素ごとに算出する必要栄養量算出プログラム、薬剤の組み合わせ、該組み合わせに含まれる薬剤に係る薬剤アンプルの種類及び個数からなる薬剤組み合わせ情報を算出する薬剤組み合わせ情報特定プログラム等に従って、種々のソフトウェア的機能を実行する。
【００２６】
記憶手段１２は、内蔵される固定型記憶装置（ハードディスク）、ＲＯＭ等で構成され、通信インタフェース１４を介した外部のコンピュータ、又はＤＶＤ、ＣＤ−ＲＯＭ等の可搬型記憶媒体１８から取得した、投与薬剤特定装置１０として機能させるために必要な処理プログラムを記憶している。記憶手段１２は、処理プログラムだけではなく、受付けた患者情報を記憶する患者情報データベース１２１、経腸剤及びその成分を記憶してある経腸薬剤テーブル１２２、投与する薬剤及びその成分を記憶してある投与薬剤テーブル１２３、薬剤の組み合わせごとに特性に経時変化が生じるか否かを記憶してある特性変化情報テーブル１２４、成分ごとに成分量の許容変動範囲を指定した標準範囲テーブル１２５、投与すべき成分ごとの成分量の範囲を記憶してある投与範囲確定テーブル１２６、経腸薬剤により摂取される成分ごとの成分量の範囲を記憶してある経腸範囲確定テーブル１２７等を記憶している。
【００２７】
ＲＡＭ１３は、ＤＲＡＭ等で構成され、ソフトウェアの実行時に発生する一時的なデータを記憶する。通信インタフェース１４は内部バス１９に接続されており、外部のネットワーク網と通信することができるよう接続することにより、処理に必要なデータを送受信することができる。
【００２８】
入力装置１５は、患者の基本情報、食事摂取量、病態等を入力するキーボード、マウス等であり、テキストデータはキーボードにより打鍵入力し、入力領域の選択、ボタンの選択等はマウス等のポインティングデバイスで行う。表示装置１６は、画像を表示出力する液晶表示装置（ＬＣＤ）、表示ディスプレイ（ＣＲＴ）等の表示装置である。もちろん、両者を組み合わせて、画面上に表示された画像を選択することができるタッチパネルであっても良い。
【００２９】
補助記憶手段１７は、ＣＤ、ＤＶＤ等の可搬型記憶媒体１８を用い、記憶手段１２へ、ＣＰＵ１１が処理するプログラム、データ等をダウンロードする。また、ＣＰＵ１１が処理したデータをバックアップすべく書き込むことも可能である。
【００３０】
なお、本実施の形態では、投与薬剤特定装置１０と入力装置１５、表示装置１６とが一体となっている場合について説明するが、特にこれに限定されるものではなく、１つの入力装置１５、表示装置１６が、複数の投与薬剤特定装置１０、１０、・・・とネットワーク網等を介して接続されている形態であっても良いし、１つの投与薬剤特定装置１０が、複数の入力装置１５、１５、・・・、及び複数の表示装置１６、１６、・・・とネットワーク網等を介して接続されている形態であっても良い。
【００３１】
図２及び図３は、本発明の実施の形態に係る投与薬剤特定装置１０のＣＰＵ１１の処理手順を示すフローチャートである。投与薬剤特定装置１０のＣＰＵ１１は、入力装置１５から又は外部のネットワーク網と通信することにより外部から、患者に関する情報を受付ける（ステップＳ２０１）。受付ける患者に関する情報は、例えば性別、年齢、体重、身長等の患者基本情報、現在の栄養成分の状態量、病態、尿量、薬剤を投与するまでの時間を少なくとも含んでいる。
【００３２】
患者基本情報は、患者の特徴に応じた必要とするエネルギー量の算出に用いる。また、現在の栄養成分の状態量は、例えば食事等により摂取された結果としての現在の栄養成分の成分量、例えば水分量、アミノ酸量、脂肪量、ナトリウム量、カリウム量等である。さらに病態は、患者の活動状態、例えば寝たきりで有るのか、歩行可能か等に関する情報、外傷の程度等を係数化して受付ける。
【００３３】
また、尿量は患者の体内の水分量を推定するのに用い、薬剤を投与するまでの時間は、薬剤の組み合わせによっては、時間が経過することにより特性に変化が生じる組み合わせも有ることから、特性に変化が生じる前に投与可能か否かを判断するのに用いる。
【００３４】
入力装置１５から受付けた患者に関する情報は、記憶手段１２の患者情報データベース１２１に記憶される。図４は、本実施の形態に係る患者情報データベース１２１に記憶されるデータのデータ項目の例示図である。図４に示すように、患者情報データベース１２１は、患者を識別する情報である患者ＩＤごとに、性別、身長、年齢、体重等の患者基本情報、現在の栄養成分の状態量、病態を示す活動係数及びストレス係数、尿量、薬剤を投与するまでの時間を記憶している。
【００３５】
ＣＰＵ１１は、受付けた患者に関する情報に基づいて、エネルギー必要量ＲＥ（必要カロリー）の総量を算出する（ステップＳ２０２）。エネルギー必要量ＲＥは、基礎エネルギー消費量ＢＥＥ（Basic Energy Expenditure）を算出し、算出したエネルギー必要量ＢＥＥに患者の病態を示す活動係数及びストレス係数を乗算することにより算出する（数１参照）。
【００３６】
（数１）
ＲＥ＝ＢＥＥ×（活動係数）×（ストレス係数）
【００３７】
基礎エネルギー消費量ＢＥＥは、一般にハリス−ベネディクト（Harris-Benedict）の式と呼ばれる（数２）に基づいて算出する。（数２）において、上式は患者が男性である場合の、下式は患者が女性である場合の、それぞれの場合の基礎エネルギー消費量ＢＥＥの算出式の例を示している。基礎エネルギー消費量ＢＥＥの単位はＫｃａｌ／日であり、体重の単位はｋｇ、身長の単位はｃｍ、年齢の単位は才である。
【００３８】
（数２）
ＢＥＥ＝６６．４７＋１３．７５×体重＋５．０×身長−６．７５×年齢
ＢＥＥ＝６５５．１＋９．５６×体重＋１．８５×身長−４．６８×年齢
【００３９】
基礎エネルギー消費量ＢＥＥの算出方法は、（数２）に限定されるものではなく、例えば日本人のための簡易式である（数３）を用いて算出しても良いし、体重のみを用いて算出する簡易式である（数４）を用いても良い。なお、（数３）において、上式は患者が男性である場合の、下式は患者が女性である場合の、それぞれの場合の基礎エネルギー消費量ＢＥＥの算出式の例を示している。
【００４０】
（数３）
ＢＥＥ＝１４．１×体重＋６２０
ＢＥＥ＝１０．８×体重＋６２０
【００４１】
（数４）
ＢＥＥ＝体重×３０
【００４２】
患者の病態を示す活動係数は、患者の運動量の補正係数である。例えば患者が寝たきりの状態であり、覚醒していない場合の活動係数を１．０とし、覚醒した場合の活動係数を１．１、ベッド上で安静状態である場合の活動係数を１．２、ベッド上で活動可能な状態である場合の活動係数を１．３と特定し、それぞれ基礎エネルギー消費量ＢＥＥに乗算することにより、エネルギー必要量ＲＥを補正する。
【００４３】
患者の病態を示すストレス係数は、同じ運動をした場合であっても患者の病態によって患者のストレス（負荷）が相違することに基づいた、患者の負荷の補正係数である。例えば、軽度の手術後である場合のストレス係数を１．１とし、中程度の手術後である場合のストレス係数を１．２、高度の手術後である場合のストレス係数を１．３、外傷である場合を１．３５、頭部損傷等の重度の外傷で有る場合のストレス係数を１．６と特定し、それぞれ基礎エネルギー消費量ＢＥＥに乗算することにより、エネルギー必要量ＲＥを補正する。
【００４４】
ＣＰＵ１１は、算出したエネルギー必要量の総量から、食事等により摂取したエネルギ−量、すなわち現在の成分ごとの摂取状態に係るエネルギー量を減算することにより、投与すべきエネルギー量を算出する（ステップＳ２０３）。ＣＰＵ１１は、算出した投与すべきエネルギー量を充足するために必要な成分ごとの成分量を特定する（ステップＳ２０４）。本実施の形態では、水分量、アミノ酸量、脂肪量等を算出し、ナトリウム量、カリウム量等は別個入力を受付ける。
【００４５】
水分量は、患者情報データベース１２１に記憶してある尿量に基づいて、（数５）を用いて算出する。（数５）の尿量の単位はｍｌである。なお、補正量は７００ｍｌに限定されるものではなく、条件に応じて適宜受付ける。
【００４６】
（数５）
水分量＝尿量＋７００
【００４７】
尿量を用いることなく、体重に基づいて（数６）を用いて推算しても良い。（数６）の体重の単位はｋｇである。
【００４８】
（数６）
水分量＝体重×３５
【００４９】
アミノ酸量は、体重及びストレス係数を用いて、（数７）に基づいて算出する。もちろん、入力値として受付けても良いし、記憶手段１２に履歴情報として記憶してある過去の数値を用いても良い。
【００５０】
（数７）
アミノ酸量＝体重×ストレス係数／１０００
【００５１】
脂肪量は、エネルギー必要量ＲＥの２０％として算出しても良いし、ナトリウム量、カリウム量と同様に、入力値として受付けても良いし、記憶手段１２に履歴情報として記憶してある過去の数値を用いても良い。
【００５２】
ＣＰＵ１１は、上述した演算処理により算出、又は受付けた成分ごとの成分量を、必要成分量として、記憶手段１２に記憶しておく。
【００５３】
記憶手段１２は、成分ごとに成分量の許容変動範囲を指定した標準範囲テーブル１２５を記憶している。図５は、本実施の形態に係る標準範囲テーブル１２５に記憶されるデータのデータ項目の例示図である。図５に示すように、標準範囲テーブル１２５は、水分量、カロリー量、アミノ酸量、脂肪量、ナトリウム量、カリウム量の許容変動範囲を百分率で記憶している。
【００５４】
ＣＰＵ１１は、標準範囲テーブル１２５から、成分ごとの許容変動範囲の百分率を抽出し、記憶してある成分ごとの成分量に乗算することにより、投与すべき成分ごとの成分量の範囲を算出し、投与範囲確定テーブル１２６に記憶する（ステップＳ２０５）。図６は、本実施の形態に係る投与範囲確定テーブル１２６に記憶されるデータのデータ項目の例示図である。図６に示すように、投与範囲確定テーブル１２６は、水分量、カロリー量、アミノ酸量、脂肪量、ナトリウム量、カリウム量のについて必要成分量とその許容誤差範囲を記憶している。
【００５５】
エネルギー必要量ＲＥを充足するエネルギーは、薬剤の投与だけではなく、摂取する経腸薬剤でも充足される。したがって、ＣＰＵ１１は、経腸薬剤により患者が摂取することができる成分ごとの成分量及び図５に示す標準範囲テーブル１２５と同一項目からなる許容変動範囲を受付け（ステップＳ２０６）、受付けた成分ごとの成分量に、受付けた成分ごとの許容変動範囲の百分率を乗算することにより、経腸による成分ごとの成分量の範囲を算出し、図６に示す投与範囲確定テーブル１２６と同一項目からなる経腸範囲確定テーブル１２７に記憶する（ステップＳ２０７）。
【００５６】
ＣＰＵ１１は、投与範囲確定テーブル１２６と経腸範囲確定テーブル１２７とを成分ごとに比較し、投与範囲確定テーブル１２６で定めている範囲よりも経腸範囲確定テーブル１２７で定めている範囲の方が広い成分、換言すれば投与すべき成分量より経腸により供給される成分量の方が大きい成分が有るか否かを判断する（ステップＳ２０８）。具体的には、ＣＰＵ１１は、投与範囲確定テーブル１２６で定めている上限値より、経腸範囲確定テーブル１２７で定めている上限値の方が大きい成分が有るか否か、又は投与範囲確定テーブル１２６で定めている下限値より、経腸範囲確定テーブル１２７で定めている下限値の方が大きい成分が有るか否かを判断する。
【００５７】
ＣＰＵ１１が、投与すべき成分量より経腸により供給される成分量の方が大きい成分が有ると判断した場合（ステップＳ２０８：ＹＥＳ）、ＣＰＵ１１は、ステップＳ２０６へ戻り、経腸薬剤により患者が摂取することができる成分ごとの成分量を変更して、上述した処理を繰り返す。
【００５８】
すなわち、経腸薬剤により投与が必要とされる成分量を充足している場合には、新たに薬剤の投与を行う必要がない。また、必要以上に投与が必要とされる成分を摂取することにより過剰摂取となっているおそれもある。したがって、このような場合には、経腸薬剤により患者が摂取することができる成分量を下げるようにすることで、過剰摂取を未然に回避することが可能となる。
【００５９】
ＣＰＵ１１が、投与範囲確定テーブル１２６で定めている範囲よりも経腸範囲確定テーブル１２７で定めている範囲の方が広い成分が無いと判断した場合（ステップＳ２０８：ＮＯ）、ＣＰＵ１１は、経腸範囲確定テーブル１２７に基づいて、経腸により成分ごとの成分量を充足するのに必要な薬剤の組み合わせ、並びに該組み合わせに含まれる薬剤に係る薬剤アンプルの種類及び個数を算出する（ステップＳ２０９）。具体的には、以下のような処理を行う。
【００６０】
経腸薬剤及びその成分を記憶してある経腸薬剤テーブル１２２を参照して、経腸薬剤を摂取することにより、経腸範囲確定テーブル１２７に記憶してある成分ごとの成分量の範囲を充足する経腸薬剤の組み合わせを求める。説明を簡単にするために、経腸薬剤を、薬剤の特質に応じて６つの経腸薬剤群Ａ、Ｂ、Ｃ、Ｄ、Ｅ、Ｆに分類する。本実施の形態では、経腸薬剤群Ａは糖質を補充する薬剤群を、経腸薬剤群Ｂはナトリウム及びカリウムを補充する薬剤群を、経腸薬剤群Ｃはカリウムを含まない薬剤群を、経腸薬剤群Ｄはアミノ酸を補充する薬剤群を、経腸薬剤群Ｅは脂肪を補充する薬剤群を、経腸薬剤群Ｆはカロリーを補充する薬剤群を、それぞれ示している。
【００６１】
図７は、本実施の形態に係る経腸薬剤テーブル１２２に記憶されるデータのデータ項目の例示図である。図７のように経腸薬剤テーブル１２２は、経腸薬剤群ごとの薬剤１本あたりに含まれる水分量、カロリー量、アミノ酸量、脂肪量、ナトリウム量、カリウム量を、薬剤を識別する情報で有る薬剤コード、優先区分に対応付けて記憶してある。
【００６２】
そして、経腸薬剤群Ａに含まれる薬剤１本あたりに含まれる水分量をＡ（水）、カロリー量をＡ（カ）、アミノ酸量をＡ（ア）、脂肪量をＡ（脂）、ナトリウム量をＡ（Ｎ）、カリウム量をＡ（Ｋ）、薬剤群Ｂに含まれる薬剤１本あたりに含まれる水分量をＢ（水）、・・・、と以下同様に定め、各群の薬剤の本数をｕ、ｖ、ｗ、ｘ、ｙ、ｚとした場合、（数８）に示す連立不等式を満たす整数ｕ、ｖ、ｗ、ｘ、ｙ、ｚを求めることにより、経腸薬剤として必要な成分量を充足する薬剤の組み合わせ、並びに該組み合わせに含まれる薬剤に係る薬剤アンプルの種類及び個数を算出することができる。
【００６３】
【数１】
2006280621.tif 000003
【００６４】
（数８）は連立不等式であることから、経腸薬剤として必要な成分量を充足する薬剤の組み合わせ、並びに該組み合わせに含まれる薬剤に係る薬剤アンプルの種類及び個数は一義的に定まるものではなく、複数の組み合わせ、又は複数の薬剤アンプルの種類及び個数が候補として算出される。ＣＰＵ１１は、記憶手段１２に記憶してある所定の優先条件に基づいて、算出した複数の薬剤の組み合わせ候補に関する表示優先順位を算出し（ステップＳ２１０）、算出した優先順位に基づいて複数の薬剤の組み合わせ候補を表示装置１６へ表示出力し（ステップＳ２１１）、利用者による選択入力の待ち状態となる。
【００６５】
図８は、複数の組み合わせ候補が表示装置１６へ表示出力された場合の表示画面の例示図である。図８に示すように、最初は優先順位の最も高い薬剤の組み合わせ候補が表示出力されている。本実施の形態では、組み合わせ数インジケータ８２の表示により、５つの薬剤の組み合わせ候補を有することがわかる。また、図８の例では、経腸薬剤の計算結果が、経腸成分量の許容範囲に含まれていることがわかる。利用者は、順次移動ボタン８１により他の薬剤の組み合わせ情報を閲覧することができる。利用者は、表示されている複数の薬剤の組み合わせ候補の中から、いずれか１つの薬剤の組み合わせを、例えばマウス等で保存ボタン８３をクリックすることにより選択する。
【００６６】
ＣＰＵ１１は、利用者による薬剤の組み合わせ候補の選択を受付け（ステップＳ３０１）、選択を受付けた組み合わせに係る経腸薬剤の水分量の合計量、カロリー量の合計量、アミノ酸量の合計量、脂肪量の合計量、ナトリウム量の合計量、カリウム量の合計量を算出し（ステップＳ３０２）、投与範囲確定テーブル１２６で定めている範囲から成分ごとに減算することにより、投与薬剤により投与すべき薬剤の成分ごとの成分量の範囲を算出する（ステップＳ３０３）。ＣＰＵ１１は、投与すべき薬剤の成分ごとの成分量の範囲を充足する薬剤の組み合わせ、並びに該組み合わせに含まれる薬剤に係る薬剤アンプルの種類及び個数を算出する（ステップＳ３０４）。具体的には、以下のような処理を行う。
【００６７】
ＣＰＵ１１は、投与薬剤及びその成分を記憶してある投与薬剤テーブル１２３を参照して、算出した投与薬剤により投与すべき薬剤の成分ごとの成分量の範囲を充足する投与薬剤の組み合わせを求める。説明を簡単にするために、投与薬剤を、薬剤の特質に応じて６つの投与薬剤群Ａ、Ｂ、Ｃ、Ｄ、Ｅ、Ｆに分類する。本実施の形態では、投与薬剤群Ａは糖質を補充する薬剤群を、投与薬剤群Ｂはナトリウム及びカリウムを補充する薬剤群を、投与薬剤群Ｃはカリウムを含まない薬剤群を、投与薬剤群Ｄはアミノ酸を補充する薬剤群を、投与薬剤群Ｅは脂肪を補充する薬剤群を、投与薬剤群Ｆはカロリーを補充する薬剤群を、それぞれ示している。
【００６８】
図９は、本実施の形態に係る投与薬剤テーブル１２３に記憶されるデータのデータ項目の例示図である。図９のように投与薬剤テーブル１２３は、投与薬剤群ごとの薬剤１本あたりに含まれる水分量、カロリー量、アミノ酸量、脂肪量、ナトリウム量、カリウム量を、薬剤を識別する情報で有る薬剤コード、優先区分に対応付けて記憶してある。
【００６９】
そして、経腸薬剤群の場合と同様に、投与薬剤群Ａに含まれる薬剤１本あたりに含まれる水分量をＡ（水）、カロリー量をＡ（カ）、アミノ酸量をＡ（ア）、脂肪量をＡ（脂）、ナトリウム量をＡ（Ｎ）、カリウム量をＡ（Ｋ）、投与薬剤群Ｂに含まれる薬剤１本あたりに含まれる水分量をＢ（水）、・・・、と以下同様に定め、各群の薬剤の本数をｕ、ｖ、ｗ、ｘ、ｙ、ｚとした場合、（数９）に示す連立不等式を満たす整数ｕ、ｖ、ｗ、ｘ、ｙ、ｚを求めることにより、投与薬剤として必要な成分量を充足する薬剤の組み合わせ、並びに該組み合わせに含まれる薬剤に係る薬剤アンプルの種類及び個数を算出することができる。なお、（数９）における成分ごとの上限値及び下限値は、上述した処理で算出した経腸薬剤の水分量の合計量、カロリー量の合計量、アミノ酸量の合計量、脂肪量の合計量、ナトリウム量の合計量、カリウム量の合計量を、投与範囲確定テーブル１２６で定めた投与すべき水分量、カロリー量、アミノ酸量、脂肪量、ナトリウム量、カリウム量の範囲を、成分ごとの差分に対して加減算した値である。
【００７０】
【数２】
2006280621.tif 000004
【００７１】
（数９）は連立不等式であることから、投与薬剤として必要な成分量を充足する薬剤の組み合わせ、並びに該組み合わせに含まれる薬剤に係る薬剤アンプルの種類及び個数は一義的に定まるものではなく、複数の組み合わせ、又は複数の薬剤アンプルの種類及び個数が候補として算出される。ＣＰＵ１１は、記憶手段１２に記憶してある所定の優先条件に基づいて、算出した複数の薬剤の組み合わせ候補に関する表示優先順位を算出し（ステップＳ３０５）、算出した優先順位に基づいて複数の薬剤の組み合わせ候補を表示装置１６へ表示出力し（ステップＳ３０６）、利用者による選択入力の待ち状態となる。
【００７２】
図１０は、複数の組み合わせ候補が表示装置１６へ表示出力された場合の表示画面の例示図である。図１０に示すように、最初は優先順位の最も高い薬剤の組み合わせ候補が表示出力されている。本実施の形態では、組み合わせ数インジケータ１０２の表示により、５つの薬剤の組み合わせ候補を有することがわかる。また、図１０の例では、投与薬剤の計算結果が、投与成分量の許容範囲に含まれていることがわかる。利用者は、順次移動ボタン１０１により他の薬剤の組み合わせ情報を閲覧することができる。利用者は、表示されている複数の薬剤の組み合わせ候補の中から、いずれか１つの薬剤の組み合わせを、例えばマウス等で保存ボタン１０３をクリックすることにより選択する。
【００７３】
ＣＰＵ１１は、利用者による薬剤の組み合わせ候補の選択を受付け（ステップＳ３０７）、受付けた選択に係る薬剤の組み合わせにより、投与すべき薬剤が特定されたものとして記憶手段１２に記憶する（ステップＳ３０８）。
【００７４】
なお、患者に関する情報には、薬剤の投与を受けるまでの時間を含むことが好ましい。すなわち、経腸薬剤及び投与薬剤について、薬剤の組み合わせ、並びに該組み合わせに含まれる薬剤に係る薬剤アンプルの種類及び個数を算出する場合、複数の薬剤の配合後の経過時間により特性に変化が生じる薬剤であって、経過時間が薬剤の投与を受けるまでの時間より長い薬剤は、有害事象等の可能性が高いことから組み合わせ検討の対象から除外する方が安全上の観点からも望ましい。
【００７５】
そこで、本実施の形態では、記憶手段１２に特性変化情報テーブル１２４を備え、配合してからの経過時間により特性等に変化が生じるか否かを記憶しておく。図１１は、本実施の形態に係る特性変化情報テーブル１２４に記憶されるデータのデータ項目の例示図である。図１１に示すように、特性変化情報テーブル１２４は、薬剤の組み合わせ情報と、それに対応した特性変化の有無に関する情報、配合してから特性変化が生じるまでの時間及び生じる特性変化に関する情報が記憶してある。
【００７６】
具体的には、ｎ（ｎは自然数）個の薬剤の組み合わせごとに、配合後の経過時間及び特性変化の有無を記憶してある。特性が経過時間に応じて変化しない薬剤の組合せで有る場合、特性変化は‘無し’であり、配合後の経過時間は空白又はヌル（null）情報となる。特性変化情報には、所定時間経過後に生じる特性変化の種類を記憶する。例えば、混濁、沈殿、色変化、力価低下等である。
【００７７】
図１２は、本発明の実施の形態に係る投与薬剤特定装置１０のＣＰＵ１１の処理手順を示すフローチャートである。ＣＰＵ１１は、経腸薬剤及び投与薬剤について、薬剤の組み合わせ、並びに該組み合わせに含まれる薬剤に係る薬剤アンプルの種類及び個数を算出する場合、特性変化情報テーブル１２４を照会し（ステップＳ１２０１）、特性変化‘有’である組み合わせが存在するか否かを判断する（ステップＳ１２０２）。
【００７８】
ＣＰＵ１１が、特性変化‘有’である薬剤の組み合わせが存在しないと判断した場合（ステップＳ１２０２：ＮＯ）、ＣＰＵ１１は、薬剤の組み合わせ、並びに該組み合わせに含まれる薬剤に係る薬剤アンプルの種類及び個数の算出から排除すべき薬剤の組み合わせがないものと判断し、処理を終了する。ＣＰＵ１１が、特性変化‘有’である薬剤の組み合わせが存在すると判断した場合（ステップＳ１２０２：ＹＥＳ）、ＣＰＵ１１は、特性変化‘有’である薬剤の組み合わせについて、受付けた投与するまでの時間が、記憶してある配合後の経過時間より長いか否かを判断する（ステップＳ１２０３）。
【００７９】
ＣＰＵ１１が、受付けた投与するまでの時間が、記憶してある配合後の経過時間以下であると判断した場合（ステップＳ１２０３：ＮＯ）、ＣＰＵ１１は、特性の変化が発生する前に経腸又は投与することができるものと判断し、処理を終了する。ＣＰＵ１１が、受付けた投与するまでの時間が、記憶してある配合後の経過時間より長いと判断した場合（ステップＳ１２０３：ＹＥＳ）、ＣＰＵ１１は、該薬剤の組み合わせを、経腸薬剤及び投与薬剤の組み合わせ、並びに該組み合わせに含まれる薬剤に係る薬剤アンプルの種類及び個数の算出時の薬剤組み合わせ候補から排除する（ステップＳ１２０４）。
【００８０】
上述した処理を実行することにより、薬剤の投与時に沈殿、混濁等の特性変化が生じているおそれのある薬剤の組み合わせを確実に排除することができ、特性の変化により生じるおそれのある有害事象を未然に防止し、薬剤投与により期待される病状回復効果を確実に奏することが可能となる。なお、上述した処理は、経腸薬剤及び投与薬剤の組み合わせ、並びに該組み合わせに含まれる薬剤に係る薬剤アンプルの種類及び個数の算出する前に限定されるものではなく、算出してから排除すべき組み合わせが存在するか否かの判断に用いても良い。
【００８１】
以上のように本実施の形態によれば、まず経腸剤による栄養素の供給予定を確定した上で、投与すべき薬剤の薬剤組み合わせ情報を特定することができ、必要な栄養素を充足するために最小限必要な投与する薬剤の薬剤組み合わせ情報を特定することができる。したがって、医療従事者の経験則に依らずに最適な薬剤の組み合わせ並びに該組み合わせに含まれる薬剤に係る薬剤アンプルの種類及び個数を、所定の条件に基づいて選択することができ、薬剤投与過剰、又は必要な成分の不足を未然に防止することが可能となる。
【００８２】
以上の実施の形態に関し、さらに以下の付記を開示する。
【００８３】
（付記１）
患者に関する情報を受け付け、
受け付けた患者に関する情報に基づいて、投与又は経腸により患者に供給すべきエネルギー量を算出し、
算出したエネルギー量から投与又は経腸により患者に与える必要成分量を成分ごとに算出し、
算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定する投与薬剤特定装置において、
算出した成分ごとの必要成分量に基づいて、投与により供給可能な成分量の上限値及び下限値を成分ごとに算出する手段と、
経腸により供給可能な成分ごとの成分量を受け付ける手段と、
受け付けた成分量に基づいて、経腸により供給可能な成分量の上限値及び下限値を成分ごとに算出する手段と、
算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段と、
該手段で、存在しないと判断した場合、経腸により供給可能な成分ごとの成分量に基づいて、経腸により供給可能な薬剤組み合わせ情報を複数算出する手段と、
算出した複数の薬剤組み合わせ情報について、所定の条件に基づいて優先順位を算出し、優先順位の高い順に表示する手段と、
表示された複数の薬剤組み合わせ情報の選択を受け付ける手段と、
選択された薬剤組み合わせ情報に基づいて、投与すべき薬剤の薬剤組み合わせ情報を複数算出する手段と、
算出した投与すべき複数の薬剤組み合わせ情報について、所定の条件に基づいて優先順位を算出し、優先順位の高い順に表示する手段と、
表示された投与すべき複数の薬剤組み合わせ情報の選択を受け付ける手段と
を備えることを特徴とする投与薬剤特定装置。
【００８４】
（付記２）
前記患者に関する情報は、薬剤の投与を受けるまでの時間を含み、
薬剤の組み合わせ、該組み合わせに含まれる薬剤に係る薬剤アンプルの種類及び個数を算出する場合、複数の薬剤の配合後の経過時間により特性に変化が生じる薬剤であって、前記経過時間が薬剤の投与を受けるまでの時間より長い薬剤を組み合わせの対象から除外するようにしてあることを特徴とする付記１記載の投与薬剤特定装置。
【００８５】
（付記３）
前記条件は、薬剤アンプルの総数が少ない組み合わせを優先するものであることを特徴とする付記１又は２記載の投与薬剤特定装置。
【００８６】
（付記４）
前記条件は、薬剤アンプルの種類が少ない組み合わせを優先するものであることを特徴とする付記１又は２記載の投与薬剤特定装置。
【００８７】
（付記５）
患者に関する情報を受け付け、
受け付けた患者に関する情報に基づいて、投与又は経腸により患者に供給すべきエネルギー量を算出し、
算出したエネルギー量から投与又は経腸により患者に与える必要成分量を成分ごとに算出し、
算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定する投与薬剤特定方法において、
算出した成分ごとの必要成分量に基づいて、投与により供給可能な成分量の上限値及び下限値を成分ごとに算出し、
経腸により供給可能な成分ごとの成分量を受け付け、
受け付けた成分量に基づいて、経腸により供給可能な成分量の上限値及び下限値を成分ごとに算出し、
算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断し、
存在しないと判断した場合、経腸により供給可能な成分ごとの成分量に基づいて、経腸により供給可能な薬剤組み合わせ情報を複数算出し、
算出した複数の薬剤組み合わせ情報について、所定の条件に基づいて優先順位を算出し、優先順位の高い順に表示し、
表示された複数の薬剤組み合わせ情報の選択を受け付け、
選択された薬剤組み合わせ情報に基づいて、投与すべき薬剤の薬剤組み合わせ情報を複数算出し、
算出した投与すべき複数の薬剤組み合わせ情報について、所定の条件に基づいて優先順位を算出し、優先順位の高い順に表示し、
表示された投与すべき複数の薬剤組み合わせ情報の選択を受け付けることを特徴とする投与薬剤特定方法。
【００８８】
（付記６）
前記患者に関する情報は、薬剤の投与を受けるまでの時間を含み、
薬剤の組み合わせ、該組み合わせに含まれる薬剤に係る薬剤アンプルの種類及び個数を算出する場合、複数の薬剤の配合後の経過時間により特性に変化が生じる薬剤であって、前記経過時間が薬剤の投与を受けるまでの時間より長い薬剤を組み合わせの対象から除外することを特徴とする付記５記載の投与薬剤特定方法。
【００８９】
（付記７）
前記条件は、薬剤アンプルの総数が少ない組み合わせを優先するものであることを特徴とする付記５又は６記載の投与薬剤特定方法。
【００９０】
（付記８）
前記条件は、薬剤アンプルの種類が少ない組み合わせを優先するものであることを特徴とする付記５又は６記載の投与薬剤特定方法。
【００９１】
（付記９）
患者に関する情報を受け付け、
受け付けた患者に関する情報に基づいて、投与又は経腸により患者に供給すべきエネルギー量を算出し、
算出したエネルギー量から投与又は経腸により患者に与える必要成分量を成分ごとに算出し、
算出した成分ごとの必要成分量に基づいて、投与すべき薬剤の組み合わせ、並びに該組み合わせに含まれる薬剤に係る薬剤アンプルの種類及び個数からなる薬剤組み合わせ情報を特定するコンピュータで実行することが可能なコンピュータプログラムにおいて、
前記コンピュータを、
算出した成分ごとの必要成分量に基づいて、投与により供給可能な成分量の上限値及び下限値を成分ごとに算出する手段、
経腸により供給可能な成分ごとの成分量を受け付ける手段、
受け付けた成分量に基づいて、経腸により供給可能な成分量の上限値及び下限値を成分ごとに算出する手段、
算出した投与により供給可能な成分量の上限値が、算出した経腸により供給可能な成分量の上限値より大きい成分、又は算出した投与により供給可能な成分量の下限値が、算出した経腸により供給可能な成分量の下限値より小さい成分が存在するか否かを判断する手段、
該手段で、存在しないと判断した場合、経腸により供給可能な成分ごとの成分量に基づいて、経腸により供給可能な薬剤組み合わせ情報を複数算出する手段、
算出した複数の薬剤組み合わせ情報について、所定の条件に基づいて優先順位を算出し、優先順位の高い順に表示する手段、
表示された複数の薬剤組み合わせ情報の選択を受け付ける手段、
選択された薬剤組み合わせ情報に基づいて、投与すべき薬剤の薬剤組み合わせ情報を複数算出する手段、
算出した投与すべき複数の薬剤組み合わせ情報について、所定の条件に基づいて優先順位を算出し、優先順位の高い順に表示する手段、
表示された投与すべき複数の薬剤組み合わせ情報の選択を受け付ける手段
として機能させることを特徴とするコンピュータプログラム。
【００９２】
（付記１０）
前記患者に関する情報は、薬剤の投与を受けるまでの時間を含み、
薬剤の組み合わせ、該組み合わせに含まれる薬剤に係る薬剤アンプルの種類及び個数を算出する場合、複数の薬剤の配合後の経過時間により特性に変化が生じる薬剤であって、前記経過時間が薬剤の投与を受けるまでの時間より長い薬剤を組み合わせの対象から除外するようにしてあることを特徴とする付記９記載のコンピュータプログラム。
【００９３】
（付記１１）
前記条件は、薬剤アンプルの総数が少ない組み合わせを優先するものであることを特徴とする付記９又は１０記載のコンピュータプログラム。
【００９４】
（付記１２）
前記条件は、薬剤アンプルの種類が少ない組み合わせを優先するものであることを特徴とする付記９又は１０記載のコンピュータプログラム。
【図面の簡単な説明】
【００９５】
【図１】本発明の実施の形態に係る投与薬剤特定装置の構成を示すブロック図である。
【図２】本発明の実施の形態に係る投与薬剤特定装置のＣＰＵの処理手順を示すフローチャートである。
【図３】本発明の実施の形態に係る投与薬剤特定装置のＣＰＵの処理手順を示すフローチャートである。
【図４】本実施の形態に係る患者情報データベースに記憶されるデータのデータ項目の例示図である。
【図５】本実施の形態に係る標準範囲テーブルに記憶されるデータのデータ項目の例示図である。
【図６】本実施の形態に係る投与範囲確定テーブルに記憶されるデータのデータ項目の例示図である。
【図７】本実施の形態に係る経腸薬剤テーブルに記憶されるデータのデータ項目の例示図である。
【図８】複数の組み合わせ候補が表示装置へ表示出力された場合の表示画面の例示図である。
【図９】本実施の形態に係る投与薬剤テーブルに記憶されるデータのデータ項目の例示図である。
【図１０】複数の組み合わせ候補が表示装置へ表示出力された場合の表示画面の例示図である。
【図１１】本実施の形態に係る特性変化情報テーブルに記憶されるデータのデータ項目の例示図である。
【図１２】本発明の実施の形態に係る投与薬剤特定装置のＣＰＵの処理手順を示すフローチャートである。
【符号の説明】
【００９６】
１０  投与薬剤特定装置
１１  ＣＰＵ
１２  記憶手段
１３  ＲＡＭ
１４  通信インタフェース
１５  入力装置
１６  表示装置
１７  補助記憶手段
１８  可搬型記憶媒体
１２１  患者情報データベース
１２２  経腸薬剤テーブル
１２３  投与薬剤テーブル
１２４  特性変化情報テーブル
１２５  標準範囲テーブル
１２６  投与範囲確定テーブル
１２７  経腸範囲確定テーブル
【図１】
2006280621.tif 000005
【図２】
2006280621.tif 000006
【図３】
2006280621.tif 000007
【図４】
2006280621.tif 000008
【図５】
2006280621.tif 000009
【図６】
2006280621.tif 000010
【図７】
2006280621.tif 000011
【図８】
2006280621.tif 000012
【図９】
2006280621.tif 000013
【図１０】
2006280621.tif 000014
【図１１】
2006280621.tif 000015
【図１２】
2006280621.tif 000016